(57)【特許請求の範囲】
【請求項１】
つぎの事項（１）〜（17）により特定される誘導電力分配システム。
（１）軌道と、一次導電路と、電源装置と、複数の電動車両を備え、各電動車両に誘導電力を分配してこれら車両を共通の軌道に沿って個別に走行させる誘導電力分配システムであること
（２）一次導電路は、軌道に沿って敷設されること
（３）電源装置は、一次導電路に所定周波数の交流電流を供給すること
（４）電動車両は、ピックアップと、整流平滑回路と、定電圧回路と、モータを含む負荷とを備えること
（５）ピックアップは、コアに巻かれたピックアップコイルと、ピックアップコイルに並列接続された同調コンデンサを含み、一次導電路から発生する交番磁界に結合可能であること
（６）ピックアップコイルのインダクタンスと同調コンデンサのキャパシタンスは、この並列回路が一次導電路から発生する交番磁界の周波数に共振するように選定されること
（７）整流平滑回路は、全波整流回路と、インダクタを含むこと
（８）全波整流回路は、ピックアップコイルに発生する交流を全波整流すること
（９）インダクタは、全波整流回路の出力電流路に介在して平滑した直流を出力させること
（10）定電圧回路は、ダイオードと、出力コンデンサと、電圧検出回路と、信号発生回路と、スイッチと、スイッチ制御回路を含むこと
（11）ダイオードと出力コンデンサは、整流平滑回路の出力端間に直列接続され、整流平滑回路の出力によって出力コンデンサが充電可能であること
（12）負荷は、出力コンデンサの両端から電力供給を受けて動作すること
（13）モータは、当該電動車両を軌道に沿って走行させること
（14）電圧検出回路は、出力コンデンサの電圧に対応した監視電圧信号を出力すること
（15）信号発生回路は、基準電圧信号を発生すること
（16）スイッチは、整流平滑回路の出力端間に接続されること
（17）スイッチ制御回路は、監視電圧信号と基準電圧信号とを比較するとともに、その比較結果に応じてスイッチをオンオフ切替動作させ、負荷の消費電力が小さいほどスイッチのオン割合を大きくさせて出力コンデンサの電圧を定電圧化すること
【請求項２】
つぎの事項（21）〜（34）により特定される電動車両。
（21）ピックアップと、整流平滑回路と、定電圧回路と、モータを含む負荷とを備え、一次導電路付きの軌道に沿って走行する電動車両であること
（22）ピックアップは、コアに巻かれたピックアップコイルと、ピックアップコイルに並列接続された同調コンデンサを含み、一次導電路から発生する交番磁界に結合可能であること
（23）ピックアップコイルのインダクタンスと同調コンデンサのキャパシタンスは、この並列回路が一次導電路から発生する交番磁界の周波数に共振するように選定されること
（24）整流平滑回路は、全波整流回路と、インダクタを含むこと
（25）全波整流回路は、ピックアップコイルに発生する交流を全波整流すること
（26）インダクタは、全波整流回路の出力電流路に介在して平滑した直流を出力させること
（27）定電圧回路は、ダイオードと、出力コンデンサと、電圧検出回路と、信号発生回路と、スイッチと、スイッチ制御回路を含むこと
（28）ダイオードと出力コンデンサは、整流平滑回路の出力端間に直列接続され、整流平滑回路の出力によって出力コンデンサが充電可能であること
（29）負荷は、出力コンデンサの両端から電力供給を受けて動作すること
（30）モータは、当該電動車両を軌道に沿って走行させること
（31）電圧検出回路は、出力コンデンサの電圧に対応した監視電圧信号を出力すること
（32）信号発生回路は、基準電圧信号を発生すること
（33）スイッチは、整流平滑回路の出力端間に接続されること
（34）スイッチ制御回路は、監視電圧信号と基準電圧信号とを比較するとともに、その比較結果に応じてスイッチをオンオフ切替動作させ、負荷の消費電力が小さいほどスイッチのオン割合を大きくさせて出力コンデンサの電圧を定電圧化すること
【発明の詳細な説明】
【０００１】
【発明の属する技術分野】
この発明は、複数の電動車両に誘導電力を分配してこれら車両を共通の軌道に沿って個別に走行させる誘導電力分配システムおよび電動車両に関し、とくに、電力消費の少ない電動車両（低負荷車両）が大きな電力を要求している他の電動車両（高負荷車両）への電力供給を妨げるのを防止する技術に関する。
【０００２】
【従来の技術】
従来、電気的乗客輸送手段としての車両への給電は、通常、架空導線が使用されているが、美観、危険、価格、敷設、保守に問題があり、さらに、車両に設けられている集電器（パンタグラフまたは炭素保安器等）はしばしば架空導線より外れて他の交通を混乱さすという問題がある。また、このような架空導線に接続された車両は互いに追い越すことができない。また、ワイピング接点は、汚れると、十分に動作しなくなる傾向がある。
【０００３】
誘導電力伝送は、火花の危険または不完全接触に関連する機械的問題を排除することにより、パンタグラフやブラシ接触装置に対しては魅力ある代替品を提供するように思われる。
【０００４】
１９世紀には、電気（電信）信号を走行鉄道車両等から線路側の導体へ誘導伝達することに関して多数の特許が米国で公告されたが、これらの特許は有効な量のエネルギーの伝達に関するものではなかった。
また、高電圧の容量性手段によって電力を伝達するものに関する特許さえもあった（ＴＥＳＬＡ米国特許第５１４９７２号）。上記の誘導伝達に関連する唯一の歴史的特許は１８９４年のＨＵＴＩＮとＬｅＢＬＡＮＣの特許（米国特許第５２７８５７号）で、約３ＫＨｚの交流を用いる誘導が提案されている。さらに最近では１９７４年のＯＴＴＯの理論的仕事（ニュージランド特許第１６７４２２号）では、バスのような車両用に、４〜１０ＫＨｚの範囲で動作する直列共振二次巻線を用いることが提案された。
【０００５】
【発明が解決しようとする課題】
この発明の根本の目的は、複数の電動車両に誘導電力を分配してこれら車両を共通の軌道に沿って個別に走行させる実用システムを構築することにある。複数の電動車両が個別に走行するシステムとは、それぞれ異なる運転状態に応じて各電動車両の消費電力が異なることを意味する。運転中の全車両の合計消費電力が一次側電源装置の給電能力を超える状況であれば、各電動車両が要求する電力を円滑に供給できなくなることは原理的に避けがたいものである。
【０００６】
しかしながら、この出願の発明者らがこの発明を創作する過程で試作したシステムにおいては、上記のような状況ではないのにも関わらず、大きな電力を必要としている電動車両に充分な電力が届けられない顕著な障害が発生した。この障害を克服しないことには、複数の電動車両に誘導電力を分配してこれら車両を共通の軌道に沿って個別に走行させるシステムの実用化は不可能であった。
【０００７】
【発明の開示】
この発明に係る誘導電力分配システムは、基本構成として、軌道と、一次導電路と、電源装置と、複数の電動車両を備え、各電動車両に誘導電力を分配してこれら車両を共通の軌道に沿って個別に走行させる誘導電力分配システムである。このシステムにおいて、軌道は電動車両の走行経路を構成し、一次導電路は軌道に沿って敷設され、電源装置は一次導電路に所定周波数の交流電流を供給する。以下では、このシステムおよび電動車両の具体的な実施形態について、図１〜図５に基づいて詳細に説明する。
【０００８】
＝＝＝軌道と電動車両の概要＝＝＝
図１に於て、（１１００）は片持梁式軌道で、これは、水平な支持面（１１０１）と片側の溝の内部に設けられた１対の平行導体（１１０２）と（１１０３）とを有するＩ断面アルミニュームガーダである。（１１０４）は車両全体で、支持用と駆動用車輪（１１０６）と（１１０７）および駆動モータ（１１０５）とより形成され、車両用ピックアップコイルは前記駆動モータ（１１０５）と導体（１１０２）と（１１０３）とに隣接している。
【０００９】
＝＝＝一次側の電源装置＝＝＝
図２により電力配電システムの実施例をいくつか説明する。図２（ａ）の第１の実施例（２１００）は２台の車両（２１０１）と（２１０２）を走行させるシステムを示す。これら車両は、フランジ付車輪により軌道（２１０３）（２１０４）上を走行する。１次導体（２１０５）（２１０６）の出力および入力ループは、一端がコンデンサ（２１０７）（これを設けるか設けないかは随意であるが、軌道が比較的長距離にわたる場合には設けることが好ましい。）に、他端がコンデンサ（２１０８）に接続され、さらに高周波電源である外部原動力により駆動される交流発電機（２１０９）に接続される。
【００１０】
図２（ｂ）の第２の形態（２２００）は単一の車両（２２０１）を示す。この形態は非共振である。その１次導体は数ターンのケーブルより成っていてもよく、逓減変圧器（２２０３）を介して切替電源（２２０２）から駆動される。１次導体（２２０４）内の電流は非正弦波形とするのが適当である。
【００１１】
図２（ｃ）の第３の形態（２３００）も単一の車両（２３０１）を示す。この実施例は共振回路を用いる。コンデンサ（２３０３）と絶縁変圧器（２３０４）の１次コイルの役目をするインダクタンス（２３０４）より成る同調回路を含む切替え電源（２３０２）から駆動される。この場合、循環電流が前記コンデンサ（２３０３）に加えて前記変圧器（２３０４）内にも存在し、従って、該変圧器は、前記共振回路に供給しまたは取り出す有効電力に加えて１次導体（２３０５）内を循環する共振電力にも適応し得るＶＡ定格を有する必要がある。前記共振回路内を循環する電流は実質的に正弦波形である。前記システムの１次インダクタはすべての交流電流により駆動し得るが、すべての連想同調回路の平均共振周波数で出力される正弦波電流を使用することが好ましい。正弦波電流は高調波による無線周波放射を最少にすると共に循環電力の従属同調回路への転送の効率を増強する。
【００１２】
図２（ｄ）の第４の好ましい形態（２４００）も単一車両について図示する。この形態に於て、コンデンサ（２４０３）は１次インダクタ（２４０５）の固有のインダクタンスと共に共振回路を構成すると共に、電源（２４０２）のすべての他の構成要素の定格は、供給電力に基づいてのみ定めるべきであって、それよりも大きな共振電力に基づいて定める必要はない。前記共振回路内の電力は実質的に正弦波である。前記電源（２４０２）は軌道（２４０５）とコンデンサ（２４０３）の共振周波数に追従する切替え電源より成る。
【００１３】
第５の形態は、図２（ｄ）における終端コンデンサを省略する以外は第４形態と似ている。この形態は価格を減少すべく短い軌道長の設備に望ましい。
電力を走行車両へ渡す共振システムは、定格値の低い構成要素のためにも高周波で運転するように作られるが、周波数が上昇するにつれて、隣接する導体の渦電流と表皮効果損失は、例えば分散されている１次導体内で上昇する。この渦電流損失と表皮効果損失は効率を低下させ、電磁干渉を生じる。現在入手可能な半導体がどのようなものであるかを考えれば、１０ＫＨｚという動作周波数は、これを只１つの可能な選択と考えるべきではないが、理にかなった設計数字である。
周波数は５０ＫＨｚまで上昇してもよいが、導体の表皮効果損失はこの周波数より上で比較的重要なものとなる。ある場合には、特に航空業界では、上記のような問題が（例えば空港の地上輸送設備などについて）起こりさえしなければ、航法装置または通信設備に対して滞在的に干渉波となり得る高調波を生じないように、２８．５ｋＨｚというような特殊な周波数を選択してもよいわけであるが、４００Ｈｚの電力が工業規格であるから、これを用いるのが好ましいかも知れない。動作電圧の上限は現今では、コンデンサの定格と半導体の電圧制限との両者により実際には約６００Ｖに制限されている。
【００１４】
＝＝＝軌道と一次導電路とピックアップ＝＝＝
図３は、本実施例の実際の１次−空間−２次の関係を断面で示し、本図のスケールは、フェライト製のＥビーム（１０１０２）の背面に沿って約１２０ｍｍである。且つ図１の片持梁モノレールもこの断面を基礎としている。
（１０１００）は、その代表的なものはＩ形断面形状のアルミニウム押出品であるところの強固な支持部材（１０１０１）の組合せで車輪が走行できる上部に荷重支持面を有する。側面（１０１０４）は延長部（１０１０６）（１０１０７）により支持部材の取付けに適するようになっており、側面（１０１０５）は１次導体用の支持部材を支えるようになっている。また（１０１１０）と（１０１１１）とは、好ましくは、リッツ線の２本の平行１次導体である。これらは、隔離絶縁体（１０１１２）と（１０１１３）のダクト内に支持される。
【００１５】
全ての材料はプラスチックのように非導電性かアルミニウムのように非鉄金属であることが好ましい。もし鉄材料が１つ以上の１次導体かまたは車両の２次ピックアップコイルに隣接して位置しなければならないときは、数ミリメータの深さのアルミニウム被覆によりこの鉄材料をしゃ蔽することが有利であることが分っており、この結果として使用時発生する渦電流が磁束のそれ以上の透過を防ぐ役目をし、従って鉄材料内のヒステリシスによるエネルギーロスを最少にする。
【００１６】
ピックアップコイルのフェライトコア（１０１０２）は、複数のフェライトブロックをＥ字形に重ね、中央の軸部にプレート（１０１１７）をボルトで固定したものである。中央の軸部は好ましくは２０ｍｍの厚さで、且つピックアップコイルの全長は模式的に２６０ｍｍである。また、複数のフェライトブロックのうちのどれか１つを積み重ねから取り除いて２次コイルの空冷を考慮することが好ましい。２次コイルには使用中に２０Ａの循環電流が流れるからである。ピックアップコイル（１０１１５）は１つ以上の任意の附属コイル（１０１１６）と共にフェライトコアの中央の軸部に巻回する。１次導体（１０１１０）と（１０１１１）からフェライトコアの中央の軸部への電磁結合は前記１次導体がフェライトにより完全に囲まれているので、比較的能率的である。
車両（図示せず）はフェライト（１０１０２）の左側に存在しており、変化する磁束は実質的にフェライト（１０１０２）の内部に閉じこめられるので、車両をボルト等（たとえ鋳鉄製でも）により直接フェライト（１０１０２）に取り付けてもよい。
【００１７】
ピックアップコイルは１台の車両に１つ以上存在するが、これは１次誘導ループの設計周波数で共振する同調回路より成る。好ましくは、該ピックアップコイルはフェライト材より成るコアの中央脚を巻回する多数のリッツ線より成り、該コアは誘導結合の効果を増大する磁束集中機能を与える。
共振電流は大電流であり、導体の巻数も多いので、使用時にコイルの付近に高磁界を生じる。好ましくは、共振コンデンサ（共振周波数を調整するために附加コンデンサユニットを用意してもよい）をコイルと並列接続し、コンデンサに整流手段（好ましくは急速電力整流ダイオード）を接続し、整流手段を負荷と直列に接続することである。
さらに多くの電力を引き出すことができるので高Ｑピックアップコイルを有することが望ましいが、コイルのＱの増加はその大きさと価格を増加する傾向があるのでその折衷案が必要である。さらに、高Ｑピックアップコイルは動作周波数の小さな変動に対する同調の問題を提起する。
【００１８】
巻数と、並列接続されるべき共振コンデンサとは、後続の回路と最適の状態で整合をとるのに必要な電圧／電流比を実現するように選択してもよい。図３に示す如く、ピックアップコイル用のコアは１次ループからの磁束の交差を最大にするよう位置している。
【００１９】
＝＝＝車両側の回路システム＝＝＝
この発明に係る誘導電力分配システムにおける電動車両に実装される回路システム（スイッチモード制御器と名付けた）の基本構成を図４に示している。
図４に示すように、ピックアップコイル（１４１１１）に、このピックアップコイル（１４１１１）を（ピックアップ）共振周波数に同調させるコイル同調コンデンサ（１４１１２）が接続され、このコイル同調コンデンサ（１４１１２）は、図５に示す全波整流器からなる整流器（１４１１４）に接続され、この整流器（１４１１４）の出力側にインダクタ（１４１２１）が接続され、また出力負荷（１４１１６）と並列に出力コンデンサ（１４１１５）が接続され、前記インダクタ（１４１２１）と出力コンデンサ（１４１１５）との間にダイオード（１４１２２）が接続され、さらにインダクタ（１４１２１）とダイオード（１４１２２）との間で、同調コンデンサ（１４１１２）と並列にスイッチ（１４１１３）が設けられている。もちろん、出力負荷（１４１１６）の主な要素は、車両を走行させるモータである。
【００２０】
上記コイル同調コンデンサ（１４１１２）の電圧は整流器（１４１１４）により整流され、インダクタ（１４１２１）とダイオード（１４１２２）とによりフィルタがかけられて直流電圧を発生する。コンパレータ（１４１１７）はこの直流電圧を監視し基準電圧（１４１１８）と比較し、もし負荷電力がピックアップコイル（１４１１１）から出力できる最大電力より小さいときは出力コンデンサ（１４１１５）電圧が増加する。これによりコンパレータ（１４１１７）にスイッチ（１４１１３）を投入せしめて有効にピックアップコイル（１４１１１）を短絡する。ダイオード（１４１２２）により直流出力コンデンサの短絡を防止する。この作用の結果、ピックアップコイル（１４１１１）から転送した電力は実質的にはゼロである。従って、出力コンデンサ（１４１１５）の直流電圧は前記コンパレータ（１４１１７）がスイッチ（１４１１３）を再開放する点まで減少する。このスイッチングの生ずる割合は該コンパレータ（１４１１７）と、出力コンデンサ（１４１１５）の大きさと、負荷電力と最大コイル出力電力との間の差についてのヒステリシスより決定される。
【００２１】
図４に示したスイッチモード制御器のさらに具体的な回路構成例を図５に示している。図５の回路構成においては、ピックアップコイルは（Ｐ１）において端子（１）と（３）との間に接続される。コンデンサ（ＣＴ１）（ＣＴ２）等々（１．１μＦの電気容量が得られるようにするには、通常、５個必要である）は、共振コンデンサ（同調用コンデンサ）である。これら素子の定数を選択することにより、一次共振回路の周波数に一致した共振周波数が得られる。４個の高速回復ダイオード（Ｄ４−Ｄ７）より成るブリッジ整流器は、コンデンサ（Ｃ７）と（Ｃ８）のチョーク入力フィルタより成る（Ｌ１）への入力信号を整流する。この直流電力はコネクタ（Ｐ２）の端子（１）と（３）との負荷に供給される。この直流電圧は（Ｒ１）により監視され且つ（ＩＣ１：Ａ）により緩衝される。もしこれが（ＲＥＦ３）により決定される基準値を超過するときは、コントロール・コンパレータ（ＩＣ１：Ｂ）が、ピックアップコイルを短絡させる役目を持った大電流ＦＥＴ装置（Ｔ１）を導通させる。この切替動作の好ましい割合は通常３０Ｈｚである。トランジスタ（Ｔ２）はこのＦＥＴに限流保護を与えると共にバリスタ（Ｖ１）は電圧保護を与える。
【００２２】
もし、負荷電力がピックアップコイルから得られる最大値を超過しても、出力電圧は常に（ＲＥＦ３）で設定した基準値以下でありスイッチ（Ｔ１）は通常オフである。もし、負荷がインバータ駆動交流モータであると、高加速時にこれが起り得る。図５の制御器は、かかる場合に前記インバータにその加速度を減少するよう指示するための光学的結合制御信号を発生することにより最大電力転送を維持する手段を備える。該信号は（Ｐ２）の電圧と、（ＲＥＦ３）により設定した基準レベルより低くされた三角形搬送波とを比較することにより発生する。該三角形搬送波は（ＩＣ１：Ｄ）がこの比較を遂行する間、弛緩発振器（ＩＣ１：Ｃ）により発生させられる。光学的絶縁は（ＩＣ２）により与えられる。
かくして、図５の回路は、出力電圧を上限と下限との間に維持するようにし、ピックアップコイル内の共振電流を上限以下に維持する。
【００２３】
＝＝＝電動車両の必須の回路構成＝＝＝
以上詳しく説明した図４の回路例を参照しつつ、この発明に係る電動車両が備えるべき回路構成の必須の要件を整理して以下に列挙する。
【００２４】
（Ａ）電動車両は、ピックアップと、整流平滑回路と、定電圧回路と、モータを含む出力負荷（１４１１６）とを備えること
（Ｂ）ピックアップは、コアに巻かれたピックアップコイル（１４１１１）と、ピックアップコイル（１４１１１）に並列接続された同調コンデンサ（１４１１２）を含み、一次導電路から発生する交番磁界に結合可能であること
（Ｃ）ピックアップコイル（１４１１１）のインダクタンスと同調コンデンサ（１４１１２）のキャパシタンスは、この並列回路が一次導電路から発生する交番磁界の周波数に共振するように選定されること
【００２５】
（Ｄ）整流平滑回路は、全波整流回路（１４１１４）と、インダクタ（１４１２１）を含むこと
（Ｅ）全波整流回路（１４１１４）は、ピックアップコイル（１４１１１）に発生する交流を全波整流すること
（Ｆ）インダクタ（１４１２１）は、全波整流回路（１４１１４）の出力電流路に介在して平滑した直流を出力させること
【００２６】
（Ｇ）定電圧回路は、ダイオード（１４１２２）と、出力コンデンサ（１４１１５）と、電圧検出回路（１４１１９）（１４１２０）と、信号発生回路（１４１１８）と、スイッチ（１４１１３）と、スイッチ制御回路（１４１１７）（１４１２３）を含むこと
【００２７】
（Ｈ）ダイオード（１４１２２）と出力コンデンサ（１４１１５）は、整流平滑回路の出力端間に直列接続され、整流平滑回路の出力によって出力コンデンサ（１４１１５）が充電可能であること
（Ｉ）出力負荷（１４１１６）は、出力コンデンサ（１４１１５）の両端から電力供給を受けて動作すること
（Ｊ）出力負荷（１４１１６）に含まれるモータは、当該電動車両を軌道に沿って走行させること
【００２８】
（Ｋ）電圧検出回路（１４１１９）（１４１２０）は、出力コンデンサ（１４１１５）の電圧に対応した監視電圧信号を出力すること
（Ｌ）信号発生回路（１４１１８）は、基準電圧信号を発生すること
（Ｍ）スイッチ（１４１１３）は、整流平滑回路の出力端間に接続されていること
【００２９】
（Ｎ）スイッチ制御回路（１４１１７）（１４１２３）は、監視電圧信号と基準電圧信号とを比較するとともに、その比較結果に応じてスイッチ（１４１１３）をオンオフ切替動作させ、出力負荷（１４１１６）の消費電力が小さいほどスイッチ（１４１１３）のオン割合を大きくさせて出力コンデンサ（１４１１５）の電圧を定電圧化すること
【００３０】
＝＝＝車両搭載回路の作用＝＝＝
上記の構成（Ａ）〜（Ｎ）を備えた図４の回路は、以下のように動作し、以下のような作用効果を奏するものである。
【００３１】
出力負荷（１４１１６）による消費電力が大きいと、出力コンデンサ（１４１１５）から出力負荷（１４１１６）に流れる出力電流が大きいので、出力コンデンサ（１４１１５）の電圧が基準値より小さくなる傾向を示し、これに対応してスイッチ制御回路（１４１１７）（１４１２３）はスイッチ（１４１１３）のオン割合を小さくする。すると、ピックアップコイル（１４１１１）に生じる交流電圧が上昇し、よって整流平滑回路の直流出力電圧が上昇し、出力コンデンサ（１４１１５）の充電電流が増大する。つまり、出力負荷（１４１１６）に流れる大きな出力電流に見合うように充電電流を増大させる自動制御が働き、出力コンデンサ（１４１１５）の電圧が定電圧化する。
【００３２】
出力負荷（１４１１６）による消費電力が小さいと、出力コンデンサ（１４１１５）から出力負荷（１４１１６）に流れる出力電流が小さいので（ゼロも含む）、出力コンデンサ（１４１１５）の電圧が基準値より大きくなる傾向を示し、これに対応してスイッチ制御回路（１４１１７）（１４１２３）はスイッチ（１４１１３）のオン割合を大きくする。すると、ピックアップコイル（１４１１１）に生じる交流電圧が低下し、よって整流平滑回路の直流出力電圧が低下し、出力コンデンサ（１４１１５）の充電電流が減少する（ゼロも含む）。つまり、出力負荷（１４１１６）に流れる小さな出力電流に見合うように充電電流を減少させる自動制御が働き、出力コンデンサ（１４１１５）の電圧が定電圧化する。
【００３３】
以上のように、出力負荷（１４１１６）による消費電力が小さい場合、スイッチ（１４１１３）のオン割合が大きくなることによって、ピックアップコイル（１４１１１）に生じる交流電圧・電流が減少する。ピックアップコイル（１４１１１）に流れる交流電流が減少すると、この交流電流の誘導作用により一次導電路に帰還するインピーダンスが小さくなる。
【００３４】
このように、電動車両から一次導電路に帰還するインピーダンスが、電動車両の消費電力が小さい場合に小さくなるので、消費電力の小さい電動車両の影響で大きな電力を必要としている他の電動車両に充分な電力が届けられないという障害を引き起こすことがなくなる。
【図面の簡単な説明】
【図１】本発明の一実施の形態として、誘導電力分配システムにおける誘導電力を供給されるモノレールコンベアの斜視図である。
【図２】直線レールを備えた貯蔵システムとして構成された本発明のいくつかの変形例の説明図である。
【図３】車両とモノレールシステムの１次導体との関係を示す。
【図４】本発明の車両に搭載される回路システムの基本構成図である。
【図５】図４の回路システムのより具体的な回路構成例を示す図である。
【符号の説明】
１１００  軌道
１１０２・１１０３  平行導体（一次導電路）
２１０１・２１０２・２２０１・２３０１・２４０１  車両
２１０３・２１０４  軌道
２１０５・２１０６・２３０５  一次導体（一次導電路）
２２０２・２３０２  切替電源（電源装置）
１０１０１  支持部材（車両の軌道）
１０１０２  フェライト製のＥビーム
１０１１０・１０１１１  一次導体（一次導電路）
１０１１２・１０１１３  隔離絶縁体
１０１１５  ピックアップコイル
１４１１１  ピックアップコイル
１４１１２  同調コンデンサ
１４１１３  スイッチ
１４１１４  全波整流回路
１４１２１  インダクタ
１４１２２  ダイオード
１４１１５  出力コンデンサ
１４１１６  出力負荷（モータ）
１４１１７  コンパレータ（スイッチ制御回路の要部）
１４１１９・１４１２０  電圧検出回路の抵抗
１４１１８  基準電圧信号発生回路
【図１】
0003729787.tif 000002
【図２】
0003729787.tif 000003
【図３】
0003729787.tif 000004
【図４】
0003729787.tif 000005
【図５】
0003729787.tif 000006